(57)【要約】【課題】苦痛を伴わずに使用することができるとともにシリンダ内の密閉状態を確保できる負圧式陰茎膨張硬化装置及び陰茎膨張硬化保持具を提供すること。【解決手段】シリンダ３の解放端３１ｂには密閉部材１０を装着してシリンダ３内の密閉状態を確保する。密閉部材１０は、シリンダ３に内嵌する第１のリング部１１と解放端３１ｂに外設する第２のリング部１２及び薄膜シール部１４を備えている。解放端３１ｂの外周面には保持具２０を装着する。保持具２０はゲル状部材で形成して、リング部２１とリング部２１に内設する巻装ガイド板２２とを備えている。巻装ガイド板２２には複数のガイド溝２４を形成して、それぞれのガイド溝２４にリング部２１を延ばして順に巻装する。【選択図】図６
2008136560.tif 000002
【特許請求の範囲】
【請求項１】
軸方向に所定数の凹溝が形成されて両端が開口された筒状の陰茎膨張硬化用シリンダと、前記陰茎膨張硬化用シリンダの一端にキャップ部材を介して連結されるとともに前記陰茎膨張硬化用シリンダ内を負圧に導く真空ポンプと、を備えた負圧式陰茎膨張硬化装置であって、
前記陰茎膨張硬化用シリンダの他端には、開口端を塞ぐ密閉部材が陰茎挿入孔を有して装着され、
前記陰茎膨張硬化用シリンダの他端外周面には、ゲル状に形成された陰茎膨張硬化保持具が着脱可能に嵌入され、
前記陰茎膨張硬化保持具が、前記陰茎膨張硬化保持具を前記陰茎膨張硬化用シリンダに巻装する際の複数の巻装ガイド溝を有する巻装ガイド板を備えていることを特徴とする負圧式陰茎膨張硬化装置。
【請求項２】
前記密閉部材が、弾性部材で形成されて前記陰茎膨張硬化用シリンダの他端に嵌入可能に形成されるとともに、前記密閉部材の一端に前記陰茎膨張硬化用シリンダに内嵌するリング部材を有し、前記密閉部材の他端に前記陰茎膨張硬化用シリンダの開口端面より外設した位置で、陰茎挿入孔が形成された薄膜シール部を備えていることを特徴とする請求項１記載の負圧式陰茎膨張硬化装置。
【請求項３】
ゲル状に形成された弾性リング部と、前記弾性リング部に一体的に内設するとともに複数の巻装ガイド溝を備えた巻装ガイド板と、前記弾性リング部に一体的に外設された巻装解除リング部と、を備えて形成されることを特徴とする陰茎膨張硬化保持具。
【発明の詳細な説明】
【技術分野】
【０００１】
本発明は、社会生活に貢献できる福祉用具の一つであり、負圧により陰茎を膨張硬化可能にする負圧式陰茎膨張硬化装置及び膨張硬化した陰茎を膨張硬化状態で保持する陰茎膨張硬化保持具に関する。
【背景技術】
【０００２】
従来、障害により陰茎が膨張不能となった障害者や高齢に伴って陰茎が膨張不能となった高齢者等に対して陰茎の膨張を復活できる陰茎膨張硬化装置が様々な形で提供されまたは出願されている。例えば、特許文献１においては、一般的な負圧式による装置が知られている。つまり、特許文献１における負圧式陰茎膨張硬化装置では、陰茎を挿入するシリンダとシリンダ内を負圧に形成する真空ポンプとを備えている。陰茎をシリンダ内に挿入した後、真空ポンプを作用してシリンダ内を真空にする。シリンダ内を負圧にすることによって陰茎は吸引されてシリンダの奥深くに入り込み所定の大きさに延びることとなっていた。
【０００３】
また、特許文献２では、苦痛を伴わない陰茎膨張硬化保持具であって、ゲル状で形成された伸縮自在の紐状陰茎膨張硬化保持具が開示されている。この紐状陰茎膨張硬化保持具は、大環部と小環部とを有して結合部において連接されて一体的に形成されている。この紐状陰茎膨張硬化保持具は、負圧式陰茎膨張硬化装置で膨張硬化した陰茎を、陰茎の根元部に巻き付けることによって、血液の逆流を防止して膨張硬化状態を保持できることとなっていた。
【特許文献１】特開２００２−２８７２３８公報
【特許文献２】実用新案登録第３０８７００３号公報
【発明の開示】
【発明が解決しようとする課題】
【０００４】
陰茎を膨張硬化させて性行為を行う際、第１の課題は、負圧式陰茎膨張硬化装置を用いて短時間で陰茎を膨張硬化させるために、シリンダ内の密封状態を確実に確保すること、第２の課題は、膨張硬化した陰茎の膨張硬化状態を、苦痛を伴うことなく保持できるようにすることにあった。特許文献１においては、シリンダの陰茎挿入側端部に陰茎密閉環を装着しているものの、弾性部材の陰茎密閉環の陰茎接触部がシリンダの管内に配置されるため、陰茎密閉環をシリンダ内部に挿入する際、陰茎接触部が軸方向に圧縮されて平面上にシワを形成することになり密閉状態を確保することができない虞があった。
【０００５】
また、従来の陰茎膨張硬化保持具は、陰茎を圧迫して苦痛を伴い易いために、特許文献２においては陰茎に優しく接触できるゲル状部材で形成して苦痛を減じる対策を行っていた。しかし、この陰茎膨張硬化保持具は負圧式陰茎膨張硬化装置において、シリンダに巻装した陰茎膨張硬化保持具を陰茎に移す際、複数に巻装された陰茎膨張硬化保持具の大環部をこじるようにしてシリンダから陰茎に移行させていた。そのため、陰茎に装着する際には巻装状態が崩れて陰茎に平均に装着することができない虞があった。陰茎に平均に装着できないと、膨張硬化した陰茎を保持できないかあるいは陰茎の一部が圧迫されて苦痛を与えることになっていた。
【課題を解決するための手段】
【０００６】
本発明は、上述の課題を解決するものであり、陰茎を挿入するシリンダ内の密閉状態を確保するとともに、苦痛を伴うことなく巻装する陰茎膨張硬化保持具を使用する負圧式陰茎膨張硬化装置を提供すること、及びシリンダから陰茎に移動する際に陰茎に平均的に巻装できる陰茎膨張硬化保持具を提供することを目的とする。
【０００７】
そのために、本発明にかかわる負圧式陰茎膨張硬化装置は、以下のように構成するものである。すなわち、
請求項１記載の発明では、軸方向に所定数の凹溝が形成されて両端が開口された筒状の陰茎膨張硬化用シリンダと、前記陰茎膨張硬化用シリンダの一端にキャップ部材を介して連結されるとともに前記陰茎膨張硬化用シリンダ内を負圧に導く真空ポンプと、を備えた負圧式陰茎膨張硬化装置であって、前記陰茎膨張硬化用シリンダの他端には、開口端を塞ぐ密閉部材が陰茎挿入孔を有して装着され、前記陰茎膨張硬化用シリンダの他端外周面には、ゲル状に形成された陰茎膨張硬化保持具が着脱可能に嵌入され、前記陰茎膨張硬化保持具が、前記陰茎膨張硬化保持具を前記陰茎膨張硬化用シリンダに巻装する際の複数の巻装ガイド溝を有する巻装ガイド板を備えていることを特徴とするものである。
【０００８】
請求項２記載の発明では、前記密閉部材が、弾性部材で形成されて前記陰茎膨張硬化用シリンダの他端に嵌入可能に形成されるとともに、前記密閉部材の一端に前記陰茎膨張硬化用シリンダに内嵌するリング部材を有し、前記密閉部材の他端に前記陰茎膨張硬化用シリンダの開口端面より外設した位置で、陰茎挿入孔が形成された薄膜シール部を備えていることを特徴としている。
【０００９】
請求項３の発明による陰茎膨張硬化保持具は、ゲル状に形成された弾性リング部と、前記弾性リング部に一体的に内設するとともに複数の巻装ガイド溝を備えた巻装ガイド板と、前記弾性リング部に一体的に外設された巻装解除リング部と、を備えて形成されることを特徴とするものである。
【発明の効果】
【００１０】
本発明の負圧式陰茎膨張硬化装置によれば、陰茎を挿入した陰茎膨張硬化用シリンダは真空ポンプの作動により負圧に導かれる。陰茎膨張硬化用シリンダ内の陰茎は吸引されて所定の大きさに延びる。一方、陰茎膨張硬化用シリンダの外周面に巻装される陰茎膨張硬化保持具は、ゲル状部材で形成されて巻装ガイド板の複数のガイド溝に係合して巻装されているから、陰茎膨張硬化保持具の各巻線部はその位置が保持された状態にある。この状態で、この陰茎膨張硬化保持具を膨張硬化した陰茎に移動させる際には、陰茎膨張硬化保持具におけるガイド板が連接された側の端部から押し出すことになる。陰茎膨張硬化用シリンダと陰茎膨張硬化保持具との間には、潤滑材を塗布することによって陰茎膨張硬化保持具の移動を軽くする。各巻線部はガイド板のガイド溝にそれぞれ係合しているから、陰茎膨張硬化用シリンダに装着した状態で陰茎に移行することができる。
【００１１】
これによって、陰茎に装着された陰茎膨張硬化保持具は各巻線部が平均的に陰茎を押圧できるとともに、陰茎に優しく接触できるゲル状部材で形成されているから、陰茎に負担をかけることなく陰茎を保持することができる。使用者は苦痛を伴うことがなく安心して使用することができる。
【００１２】
また、陰茎膨張硬化用シリンダには、一端に真空ポンプが連結されて他端に密閉部材が装着されている。従来の密閉部材は、陰茎膨張硬化用シリンダ内に装着される際に軸方向に向かって圧縮されて密閉部材の端面にシワを形成しやすくなるものの、本発明の負圧式陰茎膨張硬化装置の密閉部材では、薄膜シール部が陰茎膨張硬化用シリンダの開口部端に外設した状態で配置されていることから、薄膜シール部は軸方向に圧縮されることがなくシワを形成しない。従って、陰茎が密閉部材の陰茎挿入孔を挿通して陰茎膨張硬化シリンダ内に進入している状態では、密閉状態は確保され陰茎膨張硬化用シリンダ内に負圧を導くことができる。また、薄膜シール部は陰茎の挿入時に陰茎を圧迫することなく陰茎の周りに接触するから、使用者は、陰茎膨張硬化用シリンダに無理なく挿入することができる。
【００１３】
さらに、前述の陰茎膨張硬化保持具は、各巻線部がガイド板のガイド溝にそれぞれ係合して、陰茎を平均に押圧するから、例えば、陰茎膨張硬化用シリンダに巻装しなくても膨張硬化した状態にある陰茎に装着して使用することができる。
【発明を実施するための最良の形態】
【００１４】
次に、本発明の負圧式陰茎膨張硬化装置の一形態を図面に基づいて説明する。
【００１５】
図１は、本発明の負圧式陰茎膨張硬化装置（以下、本装置という。）１の全体を示すものであり、陰茎膨張硬化用シリンダ（以下、シリンダという。）３とシリンダ３の一端側にキャップ７を介して接続された真空ポンプ５とを備えている。
【００１６】
実施形態のシリンダ３は、硬質樹脂製の透明部材で形成されるとともに両端が開口された筒状の胴体部３１を有して形成されている。胴体部３１の一端（以下、空気通路口という。）３１ａには、胴体部３１の外周面より大径のフランジ部３２が形成され、さらにフランジ部３２から軸方向に突出した先細り状のテーパ受け部３３が形成されている。胴体部３１の他端（以下、解放端という。）３１ｂには、端部付近の内周壁に円周方向に沿って環状溝３４が形成されている。また、胴体部３１の内周面には、図２に示すように、軸方向に沿って複数の凹溝３５が形成されている。
【００１７】
実施形態の真空ポンプ５は、樹脂製で形成された外筒５１と外筒５１内を摺動するピストン５２とを備えている。外筒５１には一端に小径筒部５１１が形成され、小径筒部５１１にはシリンダ３に連接する連接筒部５１２が外筒５１の軸線と直交する方向に配置されている。外筒５１の他端は開口され、外筒５１内にはピストン５２が挿入されている。ピストン５２には先端にウレタンゴム製で形成された摺動体５２１が装着されていて、外筒５１内を密封しながら摺動可能に形成されている。
【００１８】
小径筒部５１１の他端は開口されるとともに、開口部付近に真空ポンプ５のピストン側排出弁５３が配置されている。また、連接筒部５１２の内周面には外方に広がるテーパ孔５１３が形成され、連接筒部５１２とシリンダ３の空気通路口３１ａとの間に樹脂製で形成されたキャップ７が配置されている。
【００１９】
キャップ７は、お椀状の胴体部７１と胴体部７１から突出する突出筒部７２を有して形成され、突出筒部７２の外形は、真空ポンプ５の連接筒部５１２のテーパ孔５１３に嵌合できるようにテーパ状に形成されている。突出筒部７２には真空ポンプ５のシリンダ側吸引弁７３が挿入されている。
【００２０】
また、キャップ７はシリンダ３のテーパ受け部３３に嵌合可能に形成されるとともに、キャップ５の胴体部７１の先端部にはシリンダ３のフランジ部３２と対向するようにフランジ部７４が形成されている。フランジ部７４の一部にはキャップ７をシリンダ３のテーパ受け部３３から脱着するための舌片７５が形成されている。
【００２１】
シリンダ３の解放端３１ｂには密閉部材１０が嵌入され、解放端３１ｂの外周面には、陰茎膨張硬化用保持具（以下保持具という。）２０が着脱可能に巻装される。密閉部材１０は、図３に示すように、伸縮可能な弾性を有する材料、例えばゴム製で形成され、シリンダ３の環状溝３４に嵌合する第１のリング部１１と、第１のリング部１１より小径に形成される第２のリング部１２とを有している。第１のリング部１１と第２のリング部１２との間には溝部１３が形成され、第２のリング部１２の端面に薄膜シール部１４が配置されている。薄膜シール部１４には、陰茎を挿入するための陰茎挿入孔１５が形成されている。
【００２２】
第１のリング部１１は、環状溝３４より僅かに大径に形成されて環状溝３４の周面を圧接可能に形成され、溝部１３はシリンダ３の端部に嵌合され、第２のリング部１２は、解放端３１ｂの端面より外設して配置されるとともに解放端３１ｂ端面に当接可能に形成されている。従って、第２のリング部１２に配置された薄膜シール部１４は、シリンダ３に外設されることになり、密閉部材１０の第１のリング部１１がシリンダ３内に内嵌されても直接圧縮されることなくシワを形成しない。そのため、陰茎が挿入された状態でシリンダ３内の密閉状態を確保することができる。
【００２３】
保持具２０は、ゲル状部材で形成され、図４〜５に示すように、リング部２１と、リング部２１の一部に内設された板状の巻装ガイド板２２と、リング部２１における巻装ガイド部２２と対する側に外設された巻装解除リング２３とを有して形成されている。巻装ガイド板２２には、リング部２１から延設された方向と直交する方向に複数のガイド溝２４が形成されている。この保持具２０をシリンダ３の開放端３１ｂの外周面に装着した状態でリング部２１自体を引っ張って伸展させ、伸展させた部位をガイド溝２４に順に巻装することによって、保持具２０には複数の巻線部２５（図６参照）が形成される。
【００２４】
次に、上記のように構成された本装置１の作用について説明する。本装置１は、図１に示すように、シリンダ３のテーパ受け部３３にキャップ７の胴体部７１を嵌合しキャップ７の突出筒部７２に真空ポンプ５の連接筒部５１２を嵌合し、さらにシリンダ３の開放端３１ｂに密閉部材１０を装着することによって組み付けられている。そして、図６に示すように、シリンダ３の解放端３１ｂ側の外周面に保持具２０を装着する。この際、保持具２０には巻装ガイド板２２が一体的に形成されているから、図７に示すように、巻装ガイド板２２の先端部をシリンダ３の解放端３１ｂ側に向けて、リング部２１とともにシリンダ３の外周面に装着する。
【００２５】
シリンダ３の外周面に装着する巻装ガイド板２２の位置は、巻装ガイド板２２が陰茎の下面側に接触する位置となるようにする。そしてリング部２１を伸展させて細径とした上で、巻装ガイド板２２のガイド溝２４に順に巻き付ける。これによって巻装ガイド板２２には複数の巻線部２５が形成されることとなる。この際、シリンダ３の外周面には予め潤滑材を塗布して巻装する保持具２０を抜け易くしておく。
【００２６】
そして、シリンダ３の解放端３１ｂに陰茎の亀頭を当て、密閉部材１０の薄膜シール部１４の陰茎挿入孔５からシリンダ３内に挿入する。真空ポンプ５のピストン５２を２回程ゆっくり往復移動させると、シリンダ３内が負圧に導かれ陰茎は吸引される。シリンダ３内を陰茎が吸引されると陰茎の外表面はシリンダ３の内周壁及び凹溝３５に入り込んで膨張伸展する。この際、密閉部材２０の薄膜シール部１４は陰茎を圧迫することなく陰茎の周りに隙間なく接触する。
【００２７】
真空吸引作動中に舌片７５を僅かに引き上げてシリンダ３とキャップ７との間から空気を若干入れ、再びキャップ７をシリンダ３に嵌合してシリンダ３内に負圧を導く。この作動を繰り返すと、陰茎内の海綿体中の血流が良好となって、陰茎の伸縮度が強くなり、膨張硬化が迅速となる。
【００２８】
陰茎がシリンダ３内で所定量膨張硬化すると、キャップ７の舌片７５を引き上げてシリンダ３内に空気を瞬時に入れるとともにキャップ７をシリンダ３のテーパ受け部３３から外してシリンダ３と真空ポンプ５とを分離する。シリンダ３内の負圧は解除されて、陰茎がシリンダ３から脱着可能な状態となる。
【００２９】
陰茎をシリンダ３より脱着すると同時に、保持具２０を、保持具２０のリング部２１側から押圧しながら、ガイド板２２が陰茎の下面側に接触するようにシリンダ３から抜いて陰茎の根元部に緊締させる。保持具２０は、巻線部２５を保持したまま、巻装ガイド板２２が陰茎の下面部に装着され、ガイド溝２４に係合していない巻線部２５が陰茎の上面部の周りに巻線されることとなる。保持具２０で保持された陰茎は海綿体中の血液の逆流を防止するから、陰茎は膨張硬化状態を長時間保持することになる。
【００３０】
なお、終了後に保持具２０を陰茎から取り外す際には、保持具２０の巻装解除リング２３（図４参照）を引き上げる。これによって、巻線状態が解除されて保持具２０を陰茎から容易に取り外すことができる。保持具２０を陰茎から取り外すと陰茎の海綿体の血液が戻ることによって、陰茎が縮小される。
【００３１】
上述のように、実施形態の本装置１によれば、シリンダ３の解放端３１ｂを塞ぐように密閉部材１０を装着している。密閉部材２０は、密閉状態を形成するために第１のリング部１１がシリンダ３内で圧接されるものの、薄膜シール部１４はシリンダ３の解放端３１ｂより外設して配置されているから、薄膜シール部１４面にはシワを形成しない。そのため、陰茎が陰茎挿入孔１５内から挿入した状態では、薄膜シール部面が陰茎の周りに接触して密閉状態を確保することができる。
【００３２】
また、シリンダ３の解放端３１ｂの外周面に装着される保持具２０は、陰茎を巻装する部位が巻装ガイド板２２のガイド溝２４に巻装した状態であるから、陰茎を平均して圧接することができ、陰茎の一部を圧迫することがない。そのために、使用者に苦痛を伴わずに使用することができる。しかも保持具２０がゲル状部材で形成されているから、陰茎に負担をかけずに安心して使用することができる。
【００３３】
従って、実施形態の本装置１を使用することによって、障害によって陰茎の膨張硬化が不能となった障害者や高齢に伴って陰茎の膨張硬化が不能となった高齢者等に有効に使用することができて、元気を取り戻すことができるという効果を発揮する。そのため、日常生活に生きがいを感じるとともに、夫婦愛も円満となって活動的な人生を送ることができる。
【００３４】
なお、この発明の負圧式陰茎膨張硬化装置は、上述の形態に限定するものではなく、例えば、シリンダ３の解放端３１ｂに上述の密閉部材１０を装着できるものであれば、シリンダ３の他の部位の形状は従来から実施されているものでもよく、また、真空ポンプも従来の公報に示されているものであってもよい。
【００３５】
さらに、この発明の陰茎膨張硬化保持具は、負圧式陰茎膨張硬化装置を使用しない状態で、直接陰茎に巻装して使用することもできる。
【図面の簡単な説明】
【００３６】
【図１】本装置の一形態を示す全体正面図である。
【図２】図１における本装置のシリンダを示す側面図である。
【図３】図１における本装置の密閉シール部を示す斜視図である。
【図４】本装置における保持具を示す正面図である。
【図５】図４における保持具の断面図である。
【図６】本装置に保持具を装着した状態を示す正面図である。
【図７】図６における一部拡大図である。
【符号の説明】
【００３７】
１、本装置
３、シリンダ
５、真空ポンプ
７、キャップ
１０、密閉部材
１１、第１のリング部
１２、第２のリング部
１４、薄膜シール部
１５、陰茎挿入孔
２０、保持具
２１、リング部
２２、巻装ガイド板
２３、巻装解除リング
２４、ガイド溝
２５、巻線部
３１、（シリンダの）胴体部
３１ｂ、解放端
３５、凹溝
７５、（キャップの）舌片
【図１】
2008136560.tif 000003
【図２】
2008136560.tif 000004
【図３】
2008136560.tif 000005
【図４】
2008136560.tif 000006
【図５】
2008136560.tif 000007
【図６】
2008136560.tif 000008
【図７】
2008136560.tif 000009